(57)【特許請求の範囲】
【請求項１】
陳列装置の支柱の下端部前面に穿設した係止孔に、前後方向を向くベース脚の、後端部に設けた連結具と一体をなす係止片を係止することにより、前記支柱にベース脚を取り付けるようにした、陳列装置におけるベース脚の支柱への取付構造であって、
ベース脚の後端を開口させて、この開口から、前記連結具の基部をベース脚の内部に遊嵌するとともに、ベース脚の後端部の上面に、後端から前方に延びるスリットを形成し、連結具の上端部を前記スリットに前後方向に摺動可能として嵌合し、さらに前記ベース脚の後端部のいずれか一方の側面に穿設した前後方向を向く横長孔から嵌挿した締着手段により、前記連結具の基部をベース脚の側片に締着したことを特徴とする陳列装置におけるベース脚の支柱への取付構造。
【請求項２】
ベース脚の後端部の上面に、左右１対のスリットを、互いに左右方向に離間させて、かつベース脚の側面と平行をなすように設け、前記ベース脚の両側面に前後方向を向く横長孔をそれぞれ穿設し、さらに、締着手段を、前記ベース脚のいずれの側面からでも、前記横長孔に嵌挿して、連結具の基部をベース脚の側片と締着可能とした請求項１記載の陳列装置におけるベース脚の支柱への取付構造。
【請求項３】
連結具の基部の上下いずれかの端部を、ベース脚の上片の下面または下片の上面に、摺動自在に当接させた請求項１または２に記載の陳列装置におけるベース脚の支柱への取付構造。
【請求項４】
連結具を、基部にねじ孔を有する板状のものとし、締着手段を、連結具のねじ孔に螺合するねじとした請求項１〜３のいずれかに記載の陳列装置におけるベース脚の支柱への取付構造。
【発明の詳細な説明】
【０００１】
【発明の属する技術分野】
本発明は、陳列装置における支柱の下部に、ベース脚を取り付けるための取付構造に関する。
【０００２】
【従来の技術】
従来のこの種のベース脚の取付構造において、ベース脚の後端を支柱の前面に当接させて取り付けることができるとともに、支柱の前面とベース脚の後端との間にパネルの側縁部を挾むようにして、ベース脚を支柱に取り付けることもできるようにしたものとしては、例えば実公平７−３７５５７号公報に開示されているようなものがある。
【０００３】
このものは、支柱の前面に穿設した係止孔に係合するフックを後端に有するベース取付金具の前端に、左右方向に突出するとともに、下端に前上方を向くフックを有する取付板を設け、上記フックを、ベース脚の後端に設けた平面視後向きコ字状チャンネル材の基片に設けた金具取付用開窓の上縁に係止させることにより、ベース脚を、その後端が支柱の前面に当接するようにして支柱に取り付けることができ、またベース取付金具より左右方向に突出する取付板の両側部を、ベース脚におけるチャンネル材の開口縁部に設けた折り返し部に係合させることにより、ベース取付金具のベース脚後端からの後方突出量を大として、支柱の前面とベース脚後端との間にパネルを挾んで、ベース脚を支柱に取り付けることもできるようになっている。
【０００４】
【発明が解決しようとする課題】
しかし、上記の公報に記載されているものは、ベース取付金具がベース脚から完全に分離するようになっているので、集荷や出荷時に、連結具の員数間違いが発生したり、搬送途中等において、連結具が紛失したりするおそれがあるとともに、支柱への組み付け作業やベース脚の高さ調節時等に、ベース取付金具がベース脚から脱落するおそれがある。
【０００５】
また、従来のものでは、支柱の前面に対して、ベース脚を整合するように取り付ける場合（中間用）と、支柱の前面中央にベース脚の右側面または左側面が位置するように取り付ける場合（右用または左用）とで、異なった形状のベース取付金具を用いなければならず、多数の種類のベース取付金具を用意しなければならないという問題がある。
【０００６】
本発明は、従来の技術が有する上記のような問題点に鑑みてなされたもので、保管や移送時に、連結具が紛失することがなく、組み付けや連結作業が容易であり、しかも部品の種類を少なくすることができるとともに、がたつき等がなく、強固な構造の陳列装置におけるベース脚の支柱への取付構造を提供することを目的としている。
【０００７】
【課題を解決するための手段】
本発明によると、上記課題は、次のようにして解決される。
(１)陳列装置の支柱の下端部前面に穿設した係止孔に、前後方向を向くベース脚の、後端部に設けた連結具と一体をなす係止片を係止することにより、前記支柱にベース脚を取り付けるようにした、陳列装置におけるベース脚の支柱への取付構造であって、ベース脚の後端を開口させて、この開口から、前記連結具の基部をベース脚の内部に遊嵌するとともに、ベース脚の後端部の上面に、後端から前方に延びるスリットを形成し、連結具の上端部を前記スリットに前後方向に摺動可能として嵌合し、さらに前記ベース脚の後端部のいずれか一方の側面に穿設した前後方向を向く横長孔から嵌挿した締着手段により、前記連結具の基部をベース脚の側片に締着する。
【０００８】
(２) 上記(１)項において、ベース脚の後端部の上面に、左右１対のスリットを、互いに左右方向に離間させて、かつベース脚の側面と平行をなすように設け、前記ベース脚の両側面に前後方向を向く横長孔をそれぞれ穿設し、さらに、締着手段を、前記ベース脚のいずれの側面からでも、前記横長孔に嵌挿して、連結具の基部をベース脚の側片と締着可能とする。
【０００９】
(３) 上記(１)または(２)項において、連結具の基部の上下いずれかの端部を、ベース脚の上片の下面または下片の上面に、摺動自在に当接させる。
【００１０】
(４) 上記(１)〜(３)項のいずれかにおいて、連結具を、基部にねじ孔を有する板状のものとし、締着手段を、連結具のねじ孔に螺合するねじとする。
【００１１】
【発明の実施の形態】
以下、本発明の第１の実施形態を備える陳列装置(１)について、図１〜図６を参照しながら説明する。
なお、以下の説明中においては、図１の右下側を「前方」とし、左上側を「後方」とする。
【００１２】
天井(２)と床面(３)とには、左右方向を向く樋状のレール(４)(５)が固着されており、角管状の支柱(６)の上下に設けたアジャスタ(７)を上下のレール(４)(５)の対向面に圧接することにより、上下のレール(４)(５)間に、３本の支柱(６)が左右方向に並べて立設されている。
各支柱(６)の前後両面には、左右２列の多数の係止孔(８)が、上下方向に並べて穿設されている。
【００１３】
隣り合う支柱(６)(６)の間には、パネル(Ｐ)が、支柱(６)の前後面と整合するようにして(図１及び図４参照)はめ込まれており、パネル(Ｐ)の上端部には、横向きの蓋材(９)が嵌合固着されている。
各支柱(６)の前面における上下方向の中間部及び上部には、前後方向を向くブラケット(10)が取り付けられており、隣り合うブラケット(10)(10)には、棚板(11)が載置されている。
【００１４】
床面(３)上に載置された前後方向を向く角管状のベース脚(12)の前端は閉塞され、かつその下面の前後２か所には、高さ調節用のアジャスタ(13)(13)が設けられている。
ベース脚(12)の上片(12a)には後端の開口から前方に延びる一定長さの左右１対のスリット(14)(14)がが形成され、これらのスリット(14)(14)の後端は開口している。またベース脚(12)の左右両側片(12b)(12b)の後部中位部には、前後方向を向く横長孔(15)がそれぞれ穿設されている。
【００１５】
連結具(16)は、縦長板状で側面視逆Ｌ字形をなす基部(17)の上端後部に、係止片(18)を後向きに突設した金属製のものであり、係止片(18)の後端部には、上向係止爪(21)と下向係止爪(22)とが形成されている。
基部(17)の上下高さはベース脚(12)の下片(12c)の上面から上片(12a)の上面までの高さと一致しており、この基部(17)の上端に前後方向に延びる上部突縁(23)が形成されている。そして、基部(17)の上端をベース脚(12)に垂直状態として挿入したとき、基部(17)の上部突縁(23)がベース脚(12)のスリット(14)にスライド可能に挿入されるようになっている。
【００１６】
基部(17)のほぼ中央には、１個の六角形状の取付孔(24)が穿設されており、この取付孔(24)にナット(25)が左右突出長さが同一状態として嵌挿され、溶接により固着されている。このナット(25)のねじ孔(26)に、ベース脚(12)の側面から横長孔(15)を介して挿通した締着手段としての１本のねじ軸、例えばボルト(27)が螺合されており、これにより連結具(16)はベース脚(12)の一方の側片(12b)に締着固定されている。
【００１７】
なお、スリット(14)はベース脚(12)の側面と平行に左右１対、所要の間隔をもって形成されるとともに、横長孔(15)はベース脚(12)の両側面に穿設されているので、ボルト(27)はベース脚(12)のいずれの側面からでも選択的に嵌挿可能である。
【００１８】
また、最も外側のベース脚(12)には、図４に想像線で示すような側部カバー(28)を装着して、ベース脚(12)の外側面全体を覆うようにすると、外側の横長孔(15)が外部に露呈することがなく体裁がよい。
この場合には、ボルト(27)は、ベース脚(12)の内側の横長孔(15)から嵌挿する。
【００１９】
このようにして、ベース脚(12)に一体的に取り付けられた連結具(16)は、図２に示すように、基部(17)の下端がベース脚(12)の下片(12c)の上面と当接するか、または上部突起(23)の前端がスリット(14)の前端に当接した状態から、ボルト(27)を支点として、図２に矢印で示すように反時計方向に回動させることができ、図５に示すような傾斜状態とすることができる。
【００２０】
連結具(16)を、図５に示すような傾斜状態とすることにより、ベース脚(12)をほぼ水平状態としたままで、連結具(16)の係止片(18)を支柱(６)の下段の係止孔(８)に挿入することができ、ベース脚(12)の支柱(６)への組み付け作業が容易になる。すなわち、従来のように、係止片(18)を係止孔(８)に挿入するために、ベース脚(12)全体を後下方に傾斜させる必要がない。
【００２１】
係止片(18)を係止孔(８)に挿入した後、ベース脚(12)を後方へ移動させつつ、連結具(16)を図２に示す矢印と反対方向に回動させると、図２に示すように、ベース脚(12)の後端が支柱(６)の前面または必要に応じて支柱(６)の前面下部に設けた遮閉板(29)に当接し、かつ係止片(18)の上向係止爪(21)及び下向係止爪(22)が係止孔(８)の上下縁に係合し、組付状態となる。
【００２２】
この状態で、ボルト(27)を締めつけると、ベース脚(12)は支柱(６)に強固に結合される。このようにして支柱(６)に結合された左右のベース脚(12)(12)上に、ベース棚板(30)を架設する。
【００２３】
図１〜図４に示す状態は、パネル(Ｐ)を、その前面が支柱(６)の前面と整合するようにして、左右の支柱(６)(６)間に配設した場合のものであるが、パネル(Ｐ)を、その両側部後面が支柱(６)の前面と当接するようにして、支柱(６)(６)に取り付けた場合は、図６に示すように、ボルト(27)を緩めて、ボルト(27)と連結具(16)とを、横長孔(15)に沿って後方へ移動させ、ベース脚(12)の後端と支柱(６)の前面との間にパネル(Ｐ)の側部を挟むようにして、連結具(16)の係止片(18)を係止孔(８)に係合し、その状態でボルト(27)を締着すればよい。
【００２４】
以上説明した第１の実施形態によれば、連結具(16)がベース脚(12)に、初めから一体的に取り付けられているので、保管や移送時に連結具(16)が紛失したり、員数間違いが生じることはない。
【００２５】
また、ボルト(27)を横長孔(15)に沿って前後方向に自由に位置調整することができるので、連結具(16)の係止片(18)のベース脚(12)の端部からの突出量を調節できる。
【００２６】
したがって、例えばパネル(P)を支柱(６)に、支柱(６)と面一となるように取り付けた場合や、支柱(６)より若干突出した状態で取り付けた場合のいずれにおいても、支柱(６)にベース脚を体裁良く取り付けることができる。
【００２７】
さらに、ベース脚(12)の一側面からのみの締着手段であっても支柱とベース脚を直角に保つことができる。
【００２８】
また、ボルト(27)は、陳列装置(１)の内側となるベース脚(12)の内側面側から横長孔へ挿通すれば、ボルト(27)が陳列装置(１)の外側方に突出することはなく、しかも、ベース脚(12)の外側面を、カバー(28)によって覆えば、ベース脚(12)の横長孔(15)が外部に露呈することはなく、体裁をよくすることができる。
【００２９】
なお、本実施形態では締着手段としてボルト(27)を用いたが、他の構造の締着手段を用いてもよい。また、連結具(16)の基部(17)にナット(25)を固定したが、連結具(16)自体の一体形成によりナット部を形成することも可能である。
【００３０】
図７は、本発明の第２の実施形態を備える陳列装置の要部を示す。
この実施形態においては、連結具(16)における基部(17)の上下の端部を、ベース脚(12)における上片(12a)の下面及び下片(12c)の上面に沿って前後方向に摺動しうるようにし、第１の実施形態におけるようなスリット(14)は設けていない。
【００３１】
したがって、スリット(14)を設けたときのような効果、すなわち、連結具(16)をボルト(27)まわりに回動できるとともに、連結具(16)の基部(17)の上端部の左右方向のがたつきを防止しうる等の効果を奏し得ないだけで、それ以外の第１の実施形態におけるのと同様の効果を奏することができる。
【００３２】
また、第２の実施形態においては、連結具(16)の基部(17)の上下がベース脚(12)により回動不能に案内されているので、ベース脚(12)に対する連結具(16)の支持が安定し、結合強度が増すとともに、ボルト(27)が緩みにくい等の利点がある。
【００３３】
【発明の効果】
(Ａ) 請求項１記載の発明によると、当初より連結具がベース脚に分離不能として取り付けられているので、保管や移送時に連結具が紛失したり、員数間違いが生じることはない。
また、締着具を横長孔に沿って前後方向に自由に位置調整することができるので、連結具の係止片のベース脚の端部からの突出量を調節できるようになる。
したがって、例えばパネルを支柱に、支柱と面一となるように取り付けた場合や、支柱より若干突出した状態で取り付けた場合のいずれにおいても、支柱にベース脚を体裁良く取り付けることができ、しかもその調整を簡単に行なうことができる。
さらに、ベース脚の一側面からのみの締着手段であっても支柱とベース脚を直角に保つことができる。
【００３４】
また、連結具の上端部がスリットに嵌合することにより、連結具の上部の左右方向のがたつきが防止されるとともに、連結具が締着手段を中心として回動できるようになり、それによって、連結具の係止片を支柱の係止孔に係止させる際に、連結具のみを若干後方に傾けておくことができ、従来のように、ベース脚全体を後下方に傾ける必要がなくなり、組み付け作業や連結作業を楽に行なうことができる。
【００３５】
(Ｂ) 請求項２記載の発明によると、一種類の連結具のみで、ベース脚を支柱の前面に整合するように取り付ける場合(中間用)と、右側面または左側面が支柱の前面のほぼ中央に位置する場合(右用または左用)の３つの態様で、ベース脚を支柱に連結することができ、従来のように、３つの各態様毎に形状の異なる連結具を用いる必要がなく、部品の種類を少なくすることができる。
【００３６】
(Ｃ) 請求項３記載の発明によると、ベース脚に対して連結具が円滑に前後動することができるとともに、ベース脚に対する連結具の支持が安定し、結合強度を高めることができる。
【００３７】
(Ｄ) 請求項４記載の発明によると、構造を簡素化し、安価に製造することができるとともに、ねじを中心として連結具を容易に回動させることができる。
【図面の簡単な説明】
【図１】  本発明の第１の実施形態を備える陳列装置を前方から見た斜視図である。
【図２】  同じく、一部を破断した拡大側面図である。
【図３】  同じく、ベース脚の後端部と連結具との拡大分解斜視図である。
【図４】  同じく、ベース脚の要部の縦断正面図である。
【図５】  同じく、連結具を後傾させた状態を示すベース脚後部の縦断側面図である。
【図６】  同じく、ベース脚を別の態様で支柱に取り付けた状態を示す、図２と同様の拡大側面図である。
【図７】  本発明の第２の実施形態を備える陳列装置の、図２と同様の側面図である。
【符号の説明】
(１)陳列装置
(２)天井
(３)床面
(４)(５)レール
(６)支柱
(７)アジャスタ
(８)係止孔
(９)蓋材
(10)ブラケット
(11)棚板
(12)ベース脚
(12a)上片
(12b)側片
(12c)下片
(13)アジャスタ
(14)スリット
(15)横長孔
(16)連結具
(17)基部
(18)係止片
(21)上向係止爪
(22)下向係止爪
(23)上部突縁
(24)取付孔
(25)ナット
(26)ねじ孔
(27)ボルト
(28)カバー
(29)遮閉板
(30)ベース棚板
【図１】
0004694680.tif 000002
【図２】
0004694680.tif 000003
【図３】
0004694680.tif 000004
【図４】
0004694680.tif 000005
【図５】
0004694680.tif 000006
【図６】
0004694680.tif 000007
【図７】
0004694680.tif 000008